(57)【要約】【課題】拡大された頭部、脚部、および先端を有するゴルフ・ティーを地面に、拡大された頭部が地面上の所定の高さに配置されるように差し込むための装置を提供すること。【解決手段】ゴルフ・ティー設定装置は、ゴルフ・ティーの頭部および脚部を受け入れるようにされた穴を形成する全体に管状の本体、および穴の第１端部から所定の距離に選択的に配置された軸面を有する、穴の中のプランジャを有する。その第１端部に隣接する穴に配置された可撓性膜が、複数の半径方向に内側に向かって突出するフィンガを形成し、フィンガの先端が、穴の中に挿入されているゴルフ・ティーの脚部に半径方向に係合し、それによって、受け入れられたティーの脚部が穴の中で半径方向に安定化される。膜のフィンガが、ティーが穴に最初に受け入れられるとき、およびその後装置を使用して地面に差し込まれたティーから装置を取り外すときの両方で、ティーの頭部の通過を可能にするために、穴の中で軸線方向に弾力的に曲がる。【選択図】図２
2008302208.tif 000002
【特許請求の範囲】
【請求項１】
拡大された頭部、脚部および先端を有するゴルフ・ティーを地面に、前記拡大された頭部が前記地面の上の所定の高さに配置されるように、差し込むための装置であって、
前記ティーの前記頭部および前記脚部の少なくとも一部分を受け入れるようにされた第１の開いた端部を有し、軸線を有する穴を形成する細長い本体と、
前記穴に受け入れられ、前記穴の前記第１端部から、前記所定の高さと相関関係にある第１の所定の距離に配置された軸面を含むプランジャと、
前記穴の中で半径方向内側に向かって突出する複数の第１フィンガと
を有し、
前記第１フィンガは、前記第１端部に隣接する前記穴の周囲に周方向に離隔されており、各第１フィンガは、前記穴の中に受け入れられたゴルフ・ティーの前記脚部と半径方向に係合するようにされた先端を形成し、各第１フィンガは、ゴルフ・ティーの前記頭部が各第１フィンガの前記先端を通り過ぎて前記穴の中へおよび外へ通過することを可能にするために前記穴に関して軸線方向に弾力的に曲がる、装置。
【請求項２】
請求項１に記載の装置において、前記第１フィンガが第１可撓性膜のスロットをつけられた部分によって形成されている、装置。
【請求項３】
請求項２に記載の装置において、前記本体が前記穴の前記第１端部に隣接する前記穴の座ぐり部分を有し、前記第１可撓性膜は前記穴の前記座ぐり部分の中に配置されている、装置。
【請求項４】
請求項３に記載の装置において、前記第１可撓性膜が前記穴の前記座ぐり部分の中に固定されている、装置。
【請求項５】
請求項１に記載の装置において、前記本体が、前記穴と連絡しているスロットを形成する外面を有し、前記プランジャが前記スロットを通って突き出る横突起を有し、前記スロットおよび前記横突起が協力して複数の戻り止めを形成し、前記プランジャが前記穴の中の複数の位置のうちの選択された１つで維持され、各位置は前記プランジャの前記軸面を前記穴の前記第１端部からそれぞれ所定の距離に配置する、装置。
【請求項６】
請求項５に記載の装置において、前記横突起が前記位置のうちの前記選択された１つの見て分かる表示を提供している、装置。
【請求項７】
請求項１に記載の装置において、前記本体が前記穴の前記第１端部に隣接する全体に平らな環状の下面を有し、前記下面が、前記穴に受け入れられたゴルフ・ティーが所定の高さに設定された時、前記地面に接するようにされている、装置。
【請求項８】
請求項１に記載の装置において、前記穴が前記第１端部の反対側にある第２端部を有し、前記本体が前記穴の前記第２端部に隣接する全体に凹状の上面を有し、それによって、前記上面がゴルフ・ボールを支持するようにされている、装置。
【請求項９】
請求項８に記載の装置において、前記上面が前記穴と連絡している開口部を有し、前記上面の前記開口部は、前記先端が前記穴の前記第２端部の中に突き出るように、ゴルフ・ティーの前記先端および前記脚部の少なくとも一部分を受け入れるようにされている、装置。
【請求項１０】
請求項９に記載の装置において、前記プランジャが、前記本体の前記上面の前記開口部を通して挿入されたゴルフ・ティーの前記脚部を受け、半径方向に係合するような大きさにされた開口部を有し、それによって、前記挿入されたゴルフ・ティーの前記脚部が前記穴の前記第２端部の中に機械的に保持される、装置。
【請求項１１】
請求項９に記載の装置において、前記第２端部に隣接する穴の中に半径方向に内側に向かって突出する複数の周方向に離隔された第２フィンガをさらに有し、各第２フィンガは、前記上面の前記開口部を通って延在するゴルフ・ティーの前記脚部と半径方向に係合し、それによって、前記穴の中で前記ゴルフ・ティーの前記延在する脚部を機械的に保持するようにされた先端を形成している、装置。
【請求項１２】
請求項１１に記載の装置において、前記第２フィンガが、前記第２端部に隣接する前記穴の中に固定された第２可撓性膜のスロットが形成された部分によって形成されている、装置。
【請求項１３】
拡大された頭部および脚部を有するゴルフ・ティーを地面に、前記ゴルフ・ティーの前記頭部の最上面が前記地面の上の所定の高さで配置されるように、差し込む装置であって、
前記ティーの前記頭部および前記脚部の少なくとも一部分を受け入れるようにされた第１の開いた端部を有し、軸線を有する穴を形成する本体、および
前記第１端部に隣接する穴の中に配置された可撓性膜を有し、
前記膜が中央開口部、および前記中央開口部から全体に外側に向かって突き出る複数のスロットを有し、それによって複数の内側に向かう片持ちフィンガを形成し、各フィンガは、ゴルフ・ティーの前記脚部を、前記ゴルフ・ティーが前記穴の中に受け入れられたときに半径方向に係合するようにされ、各フィンガは、ゴルフ・ティーの前記頭部が各フィンガの前記先端を通り過ぎて前記穴の中へおよび外へ通過することを可能にするために、前記穴に関して軸線方向に弾力的に曲がる、装置。
【請求項１４】
請求項１３に記載の装置において、前記フィンガが前記穴の周囲に周方向に離隔されている、装置。
【請求項１５】
請求項１３に記載の装置において、第１対の直径方向に対向したフィンガ先端が、その頭部が前記ハウジングの前記中央の穴の中に配置されているゴルフ・ティーの前記脚部に同時に係合するようにされている、装置。
【請求項１６】
請求項１５に記載の装置、第２対の直径方向に対向したフィンガ先端が前記ゴルフ・ティーの前記脚部に同時に係合するようにされている、装置。
【請求項１７】
請求項１３に記載の装置において、前記本体が前記穴の前記第１端部に隣接する前記穴の座ぐり部分を有し、前記膜が前記穴の前記座ぐり部分の中に保持されている、装置。
【請求項１８】
請求項１３に記載の装置において、前記穴に受け入れられたプランジャをさらに有し、前記プランジャが前記穴の前記第１端部から第１の所定の距離に配置された軸面を有し、前記第１の所定の距離が前記所定の高さと相関関係にある、装置。
【請求項１９】
請求項１８に記載の装置において、前記本体が前記穴と連絡しているスロットを形成する外面を有し、前記プランジャが前記スロットを通して突き出る横突起を有し、前記本体の前記スロットおよび前記プランジャの前記横突起が協力して複数の戻り止めを形成し、それによって、前記プランジャが前記穴の中の複数の位置のうちの選択された１つで維持され、各位置は、前記プランジャの前記軸面が前記穴の前記第１端部からそれぞれ所定の距離に配置される、装置。
【請求項２０】
拡大された頭部、脚部、および先端を有するゴルフ・ボール・ティーを設定するための装置にして、該装置が前記ゴルフ・ティーの前記先端が軸線に沿った空間の第１端部から突出するように前記ゴルフ・ティーの前記頭部および前記脚部の少なくとも一部分を受けるようにされた前記空間を形成する、装置において、
前記空間の中に突き出る複数の片持ちフィンガを形成する本体上に支持された可撓性膜を有し、各フィンガが、ゴルフ・ティーの前記脚部を、前記ゴルフ・ティーが前記空間の中に受け入れられたときに、半径方向に係合するようにされた先端を形成し、各フィンガは、ゴルフ・ティーの前記頭部が各フィンガの前記先端を通り過ぎて前記空間の外へ通過することを可能にするために、前記受け入れられたゴルフ・ティーの前記脚部に関して軸線方向に弾力的に曲がる、装置。
【請求項２１】
請求項２０に記載の装置において、前記膜が、前記頭部が前記空間の中に配置されたゴルフ・ティーの前記脚部に同時に係合するようにされた、第１対の直径方向に対向するフィンガ先端を形成している、装置。
【請求項２２】
請求項２１に記載の装置において、前記膜が前記ゴルフ・ティーの前記脚部に同時に係合するようにされた少なくとも第２対の直径方向に対向するフィンガ先端を形成している、装置。
【請求項２３】
請求項２０に記載の装置において、前記本体内で形成された空間が穴であり、前記穴が前記穴の第１の開いた端部に隣接する座ぐり部分を有し、前記膜が前記穴の前記座ぐり部分の中に保持されている、装置。
【請求項２４】
請求項２３に記載の装置において、前記フィンガが前記穴の周囲に周方向に離隔されている、装置。
【発明の詳細な説明】
【技術分野】
【０００１】
本発明は、概ねゴルフ・ボール・ティーを地面に、ティーが地面の上の所定の高さまで突き出るように、差し込む装置に関する。
【背景技術】
【０００２】
各ゴルフ・クラブのヘッドは、最大距離および正確さを提供するために、ゴルフ・ボールを打つ面に「スイート・スポット」、すなわち最適の場所または領域を有するので、従来技術は、ティーから打つときにゴルフ・ボールを地面の上に正確に反復可能に持ち上げておく必要を認識してきた。一般に、ゴルフ・ボールを支持するようにされた凹状の上面を特徴とする拡大された頭部、および地面に入り込むようにされた（頭部の反対側の）先細り状の先端で終わる柄又は脚部を含むゴルフ・ボール・ティーは、通常、ゴルファによって、地面の上の所望の高さでゴルフ・ボールを支持するために使用される。
【０００３】
従来、プレーヤは、ティーにゴルフ・ボールをティー・アップする場合、ゴルフ・ボールをティーの凹状頭部に載せたまま片方の手の２本の指の間にティーを保持するが、その時ゴルフ・ボールはまだプレーヤの手のひらにある。その後、プレーヤは、ティーの先端を地面に押しつけ、ティーの先端および脚部が所望の深さまで地面に入り込むまで、置かれたゴルフ・ボールに対して手のひらで追加の下向き圧力をかける。次いで、プレーヤは、差し込まれたティーおよびゴルフ・ボールから手を外してゴルフ・ボールをティー・アップするプロセスを完了する。遺憾ながら、このゴルフ・ボールをティー・アップする従来の方法は、しばしば、所与のゴルフ・クラブに地面の上のゴルフ・ボールの最適の高さを提供することができず、プレーヤはそれに続いてゴルフ・ボールを打つときにゴルフ・クラブを最適に使用することができなくなる。
【０００４】
従来技術は、予め設定された深さまでゴルフ・ボール・ティーを再現可能に差し込むための、または、ティーの凹状頭部が地面の上の所定の高さまで突き出るようにゴルフ・ボール・ティーを再現可能に差し込むための、無数の装置を提供することにより対応してきた。これらの知られている装置は、よくても、ティーが地面に差し込まれるときに限定された横方向支持をティーの脚部に提供するだけであり、それによって、ティーの先端および脚部が地面へ入り込む態様を妥協させている。さらに、そのような公知装置の剛体要素は、しばしば、その後差し込まれたティーから装置を取り外すときに差し込まれたティーを乱し、それによって、所望の高さを達成するためにティーを地面に確実に再現できるように差し込もうとするプレーヤの試みを挫折させる。
【発明の開示】
【課題を解決するための手段】
【０００５】
本発明の一態様によれば、拡大された頭部、脚部、および先端を有するゴルフ・ティーを地面に、拡大された頭部が地面の上の所定の高さに配置されるように差し込むための装置が提供される。装置は、地面に差し込まれるべきゴルフ・ティーの頭部および脚部の少なくとも一部分をその中に受ける穴などの空間を形成する本体を含む。装置はまた、穴の第１の開いた端部に隣接して配置された第１の可撓性膜を含む。第１可撓性膜は、穴の中に半径方向に内側に向かって突出する複数の片持ちフィンガを形成し、好ましくは、それによって、穴の中に受けたゴルフ・ティーの脚部を半径方向に係合するようにされた複数対の直径方向に対向したフィンガ先端を形成する。したがって、装置がゴルフ・ティーの先端および脚部を地面に押し入れるために使用されるとき、第１可撓性膜のフィンガ先端は、装置の中に受けたゴルフ・ティーの脚部を半径方向に安定化するように動作する。さらに、第１可撓性膜のフィンガはそれぞれ、ゴルフ・ティーの頭部が各フィンガの先端を通り過ぎて穴の中へおよび外へ通過することを可能にするために、穴に関して軸方向に弾力的に曲がる。
【０００６】
本発明は、任意の適切な仕方でフィンガを形成することを企図するが、一実施形態では、中央の開口部および半径方向に外側に向かって突き出る複数のスロットが可撓性膜内に形成され、それによって、所望の数の半径方向に内側に向かって突き出るフィンガを得る。同様に、本発明は、可撓性膜のフィンガがその第１端部に隣接した穴に突き出るように本体上で任意の適切な仕方で可撓性膜を支持することを企図するが、一実施形態では、可撓性膜は、穴の座ぐり部分の中の隆起部分および／または適切な接着剤の使用などによって、穴の第１端部に隣接する穴の座ぐり部分の中に機械的に固定される。
【０００７】
本発明の他の態様によれば、第１可撓性膜は、好ましくは、（所望された場合は、奇数の合計数のそのようなフィンガも本発明によって企図されるが）、頭部が空間の中に配置されているゴルフ・ティーの脚部に同時に係合するようにされた少なくとも２対の半径方向に対向するフィンガ先端を形成する。さらに、第１可撓性膜によって形成されたフィンガおよび／またはフィンガの先端は、好ましくは、穴の周辺のまわりに周方向に離隔されている。
【０００８】
本発明の他の態様によれば、装置の例示的実施形態は、ティーの頭部および脚部の少なくとも一部分を受け入れるようにされた第１の開かれた端部を有する穴を形成する細長い本体、ならびに穴に収容されたプランジャを含み、プランジャは、穴の第１端部から第１の所定の距離に配置された軸面を有し、所定の距離は、ティーが装置を使用してそこまで地面に差し込まれるべき所定の高さと相関関係にある。本体はまた、穴と連絡しているスロットを形成する外面を含み、プランジャはまた、スロットを通って突き出る横突起を含む。本体のスロットおよびプランジャの横突起は、協力して複数の戻り止めを形成し、それによって、プランジャは穴の中の複数の位置のうちの選択された１つの位置に維持され、各位置は、穴の第１端部からそれぞれ所定の距離にプランジャの軸面を配置する。プランジャの横突起はまた、有利には、選択された１つの位置の目で見える表示を提供し、一実施形態では、しるしを含み、それによって、装置を使用してゴルフ・ティーが設定される所望の高さをプレーヤが速やかに選択することができる。
【０００９】
本発明の他の態様によれば、例示的実施形態では、穴は第１端部の反対側にある第２端部を有し、本体は穴の第２端部に隣接する全体に凹状の上面を含み、それによって、上面は、有利には、装置がゴルフ・ティーを設定するために使用されるときに好都合なパーム・レストを提供するために使用されることができるゴルフ・ボールを支持するようにされる。一例示的実施形態では、本体の上面は、穴と連絡している開口部を含み、上面の開口部は、ゴルフ・ティーの先端が穴の第２端部の中に突き出るようにゴルフ・ティーの先端および脚部の少なくとも一部分を受け入れるようにされる。例示的実施形態のプランジャはまた、有利には、本体の上面の開口部を通して挿入されたゴルフ・ティーの脚部を受け、それに半径方向に係合するような大きさにされた開口部を含み、それによって、挿入されたゴルフ・ティーの脚部は本体の上面内の開口部を通して穴の中に挿入されることができて、好都合には、必要とされるまでティーを詰め込んでおくことができ、プランジャの比較的小さい開口部は、有利には、詰め込まれたティーを穴の第２端部の中に機械的に保持するように動作することができる。第２組の半径方向のティー脚部係合フィンガを形成する第２膜はまた、穴の第２端部に配置されることができ、そのフィンガ先端は、詰め込まれたティーの脚部を穴の第２端部の中に機械的に保持するように同様に動作することができる。
【００１０】
上記から、本発明は、有利には、受け入れられたゴルフ・ティーが地面に押し込まれるときに穴の中に受け入れられたゴルフ・ティーの脚部を半径方向に安定化する可撓性膜を有するゴルフ・ティー設定装置を提供することが理解されるであろう。その後、膜のフィンガは、装置がその後取り外される時に、膜のフィンガがこのように設定されたティーの拡大された頭部を通過することが地面に関してティーの高さまたは位置を大きく変えないように、穴の中で軸方向に弾力的に曲げられる。
【００１１】
本発明の他の目的、特徴、および利点は、好ましい実施形態の以下の説明および添付の特許請求の範囲を添付の図面と併せて検討すれば容易に理解されるであろう。
【実施例】
【００１２】
図１および図２を参照すると、ゴルフ・ティー１２を設定するための例示的装置１０は、ゴルフ・ティー１２の拡大された頭部１８および脚部２０の少なくとも一部分を受け入れるようにされた中央の穴１６を形成する全体に管状の本体１４含む。本体１４は、穴１６の第１端部２４に隣接する全体に平らな環状の下面２２を含み、下面は、装置の穴１６の中に受け入れられたゴルフ・ティー１２が所定の高さに設定された時、地面２６に接するようにされている。本体１４はまた、プレーヤがゴルフ・ティー１２を地面２６に差し込むときに押してもよい、より大きい凸面３５を提供するためにゴルフ・ボール３４を使用する時、ゴルフ・ボール３４を支持するために、圧入キャップ３２上に形成された、穴の第２端部３０に隣接する拡大された環状の凹上面２８を含む。
【００１３】
図２および図３を参照すると、装置１０は、穴１６の第１端部２４に隣接して配置された第１の全体に平らな可撓性膜３６を含む。第１膜３６（その相対的厚さは例示を明確にするためにいくつかの図において拡大されている）は、半径方向内側に向かって穴１６に突出する複数の円周方向に離隔した片持ちフィンガ３８を形成し、好ましくは、それによって、穴１６の中に受け入れられたゴルフ・ティー１２の脚部２０に半径方向に係合するようにされた複数対の直径方向に対向するフィンガ先端４０を形成する。したがって、第１膜のフィンガ３８の先端４０は、装置１０がティーの先端４２および脚部２０を地面２６に押し込むために使用されるときにゴルフ・ティー１２の脚部２０を半径方向に安定化するように動作する。
【００１４】
図４および図５において最も良く見られるように、第１膜のフィンガ３８は、穴１６に関して半径方向に弾性的に曲がり、それによって、ティーの拡大された頭部１８が各フィンガ３８の先端４０を通り過ぎて穴の第１端部２４の中へおよび外へ通過することを可能にする。したがって、本発明は、ティー１２を地面２６に差し込むときにティーの脚部２０の相対運動に耐えるために、膜３６の公称面内で膜のフィンガ３８に十分な硬さを提供し、それにもかかわらず、地面２６に関するティー１２の高さに大きく影響せずに装置１０をこのように設定されたティーから取り外すのを可能にするのに十分に可撓性のある適切な材料で形成される膜の選択を企図することが理解されるであろう。第１膜３６のための好ましい材料は、モンサント社によって商標「Ｓａｎｉｐｒｅｎｅ」の下で販売されているポリプロピレンとＥＰＤＭゴムの合金混合物などのような熱可塑性エラストマーである。他の代替材料には、たとえば、様々なプラスチックシート、および耐水性で耐久性の高いフェルトがある。
【００１５】
図３に戻ると、本発明は、任意の適切な態様で第１膜のフィンガ３８を形成することを企図するが、例示的装置１０の第１膜３６は、中央開口部４４および、所望の数の半径方向に内側に向かって突き出るフィンガ３８を形成する複数の半径方向に外側に向かって突き出るスロット４６を含む。第１膜３６が「Ｓａｎｉｐｒｅｎｅ」または他のプラスチックシートで形成される時、中央開口部４４および半径方向のスロット４６は、好都合には、ダイ・カッティングによって形成されてもよい。本発明は、また、図３に最も良く示されているもの以外のフィンガ構成を有する第１膜３６の使用を企図することが理解されるであろう。代替フィンガ構成を特徴とするいくつかの例示的膜４８、５０、５２、５４、５６が、それぞれ図６Ａ〜図６Ｅに示されている。
【００１６】
再度図２を参照すると、本発明は、例示的装置１０において、第１膜のフィンガ３８がその第１端部２４に隣接する穴１６の中に突き出るように本体１４上で任意の適切な態様で第１膜３６を支持することを企図するが、第１膜３６は、穴１６の座ぐり部分５８の中の周辺の隆起部６０の使用などによって、穴の第１端部２４に隣接する穴１６の座ぐり部分５８の中に機械的に固定される。
【００１７】
再度図１および図２を参照すると、装置１０は、穴１６と連絡しているスロット６４を形成する外面６２、およびスロット６４を通って突き出る横突起６８を含む穴１６に受け入れられたプランジャ６６をさらに含む。プランジャ６６は、ティー１２が装置１０を使用して地面２６に差し込まれるべき所定の高さと相関関係にある穴の第１端部２４から第１の所定の距離に配置された軸面７０をさらに含む。本体のスロット６４およびプランジャの横突起６８は、協力して複数の戻り止めを形成し、それによって、プランジャ６６は穴１６の中の複数の位置のうちの選択された１つに維持され、各プランジャ位置は、プランジャの軸面を穴の第１端部２４からそれぞれの所定の距離に配置する。プランジャの横突起６８はまた、有利には、選択された１つの位置の見て分かる表示を提供し、一実施形態では、しるし（図示されていない）を含み、それによって、プレーヤは、ティー１２が装置１０を使用して設定された所望の高さを速やかに選択することができる。
【００１８】
図７で最も良く見られるように、本体の上面２８は、穴１６と連絡している開口部７２を含み、上面２８の開口部７２は、先端４２が穴の第２端部３０の中に突き出るようにティー１２の先端４２および脚部２０の少なくとも一部分を受けるようにされている。プランジャ６６はまた、本体の上面２８の開口部７２を通して挿入されたティー１２の脚部２０を受け入れるような大きさにされた開口部７４を含み、それによって、挿入されたゴルフ・ティー１２の脚部２０は本体の上面２８の開口部７２を通過して穴１６の中に入ることができて、穴１６の中のプランジャ６６の選択された位置に関係なく、好都合には、ティー１２を必要とされるまで詰め込んでおくことができる。プランジャの開口部７４は、有利には、詰め込まれたティー１２の脚部２０をわずかに半径方向に係合するような大きさにされ、それによって、有利には、詰め込まれたティー１２を必要とされるまで穴１６の第２端部３０の中にさらに保持することが理解されるであろう。
【００１９】
やはり図７で見られるように、第２の半径方向のティー脚部係合フィンガ７８を形成する第２膜７６は、穴の第２端部３０に配置され、それらのフィンガ先端８０は、穴の第２端部３０の中で詰め込まれたティー１２の脚部２０を機械的に保持するように同様に動作する。
【００２０】
図８は、装置１０を使用してゴルフ・ティーを設定する場合、プレーヤが自分の手のひらで押しつけることができる、より大きな凸面を提供するためにゴルフ・ボールを使用するときにゴルフ・ボール（図示されていない）を支持するための拡大された上部凹面８４を特徴とする例示的ゴルフ・ティー設定装置１０のための代替キャップ８２を示す。
【００２１】
上記の記述は好ましい実施形態を構成するが、本発明は、添付の特許請求の範囲の適切な範囲および公正な意味から逸脱することなく、修正、変形および変更が可能であることが理解されるであろう。たとえば、上記の記述は、装置のゴルフ・ティー受け入れ空間を全体に円筒状の穴として開示するが、本発明は、装置がティーを地面に差し込むために使用される間、空間がティーの頭部を軸方向および半径方向に支持する限り（ティーの脚部は、第１膜のフィンガ先端によってティーを設定する場合、それ以外の方法で半径方向に安定化される）、ゴルフ・ティーを受けるべき本体の中で形成されたスロットなど、任意の適切な空間の使用を企図する。
【図面の簡単な説明】
【００２２】
【図１】ゴルフ・ティーが中央の穴に挿入されている、本発明による例示的ゴルフ・ティー設定装置の斜視図である。
【図２】図１の例示的ゴルフ・ティー設定装置の縦断面図である。
【図３】それらの先端が、挿入されたゴルフ・ティーの脚部に半径方向に係合する複数のフィンガを形成する装置の半径方向にスロットをつけられたティー安定化膜を示す、図２の線３−３に沿って取られた例示的ゴルフ・ティー設定装置の横断面図である。
【図４】ティーが装置の中央の穴に挿入されるときの装置のティー安定化膜のフィンガの軸方向の撓みを示す、図１の例示的ゴルフ・ティー設定装置の縦断面図である。
【図５】地面に差し込まれたゴルフ・ティーから装置が引き上げられるときのティー安定化膜のフィンガの反対の軸線方向の撓みを示す、図１の例示的ゴルフ・ティー設定装置の縦断面図である。
【図６Ａ】ティー安定化膜のための一代替構成の平面図である。
【図６Ｂ】ティー安定化膜のための一代替構成の平面図である。
【図６Ｃ】ティー安定化膜のための一代替構成の平面図である。
【図６Ｄ】ティー安定化膜のための一代替構成の平面図である。
【図６Ｅ】ティー安定化膜のための一代替構成の平面図である。
【図７】装置に詰め込まれたゴルフ・ティーを示す、図１の例示的ゴルフ・ティー設定装置の別の縦断面図である。
【図８】図１の例示的ゴルフ・ティー設定装置のための代替キャップの断面図である。
【図１】
2008302208.tif 000003
【図２】
2008302208.tif 000004
【図３】
2008302208.tif 000005
【図４】
2008302208.tif 000006
【図５】
2008302208.tif 000007
【図６Ａ】
2008302208.tif 000008
【図６Ｂ】
2008302208.tif 000009
【図６Ｃ】
2008302208.tif 000010
【図６Ｄ】
2008302208.tif 000011
【図６Ｅ】
2008302208.tif 000012
【図７】
2008302208.tif 000013
【図８】
2008302208.tif 000014